(57)【要約】【課題】被取付部材に対して簡単に脱着することができ、しかも、被取付部材に係止した後には不意の外力によって脱落しにくい係止構造体、及び、その係止構造体を用いるロッカーを提供する。【解決手段】係止構造体は、ベース部と、係止突起１５と、クリップ部１７と、を備えている。ベース部は、被取付部材の取付面に対向する対向面を有する。係止突起１５は、被取付部材の第１係止孔１６に挿入される。クリップ部１７は、被取付部材の第２係止孔１８に挿入される。クリップ部１７は、ベース部から突出して第２係止孔１８に挿通される基部片１７ａと、基部片１７ａの先端側から屈曲し、第２係止孔１８を貫通して取り付け面の前側に延びる撓み片１７ｂと、を有する。撓み片１７ｂには、撓み片１７ｂの弾性によって第２係止孔１８の縁部に係止されるクリップ係止部が設けられている。【選択図】図５
2019086049.tif 000002
【特許請求の範囲】
【請求項１】
被取付部材に脱着可能に取り付けられる係止構造体であって、
前記被取付部材の取付面に対向する対向面を有するベース部と、
前記ベース部から突出して前記被取付部材の第１係止孔に挿入される係止突起と、
前記ベース部の前記係止突起と離間した位置から突出して、前記被取付部材の第２係止孔に挿入されるクリップ部と、を備え、
前記クリップ部は、
前記ベース部から前記対向面よりも前記被取付部材の側に突出し、前記第２係止孔に挿通されて前記取付面の背部まで延びる基部片と、
前記基部片の突出方向の先端側から屈曲し、前記第２挿通孔を貫通して前記取付面の前側に延びる撓み片と、を有し、
前記撓み片には、当該撓み片の弾性によって前記第２係止孔の縁部に係止されるクリップ係止部が設けられていることを特徴とする係止構造体。
【請求項２】
前記基部片と前記撓み片の接続部の外面は、外側に凸の曲面形状に形成されていることを特徴とする請求項１に記載の係止構造体。
【請求項３】
前記係止突起は、
前記ベース部から前記対向面よりも前記被取付部材の側に突出し、前記第１係止孔に挿通されて前記取付面の背部まで延びる突出部と、
前記突出部の先端側から当該突出部の突出方向と交差する方向に延びる爪部と、
を有し、
前記係止突起の前記爪部と前記撓み片の前記クリップ係止部とは、相互に相反する方向に向いて形成されていることを特徴とする請求項１または２に記載の係止構造体。
【請求項４】
前記ベース部から前記被取付部材の側に突出し、前記クリップ係止部が前記第２係止孔の縁部に係止された状態で、前記被取付部材に当接して前記第２係止孔の縁部から前記撓み片に作用する撓み方向の荷重を分散支持する荷重分担部をさらに備えていることを特徴とする請求項１〜３のいずれか１項に記載の係止構造体。
【請求項５】
前記荷重分担部は、前記クリップ部とともに前記第２係止孔に挿入されるリブによって構成され、
前記リブは、前記クリップ係止部が前記第２係止孔の縁部に係止された状態で、前記第２係止孔の内面に当接することを特徴とする請求項４に記載の係止構造体。
【請求項６】
開閉可能な扉を有し、前記扉の板状の内壁が前記被取付部材とされ、
前記内壁に脱着可能に取り付けられる機能部品が請求項１〜５のいずれか１項に記載の係止構造体を有していることを特徴とするロッカー。
【発明の詳細な説明】
【技術分野】
【０００１】
本発明は、被取付部材に脱着可能に取り付けられる係止構造体、及び、その係止構造体を用いるロッカーに関するものである。
【背景技術】
【０００２】
物品収納用のロッカーの扉等に鏡や小物入れ等の機能部品が脱着可能に取り付けられることがある（例えば、特許文献１，２参照）。
【０００３】
特許文献１に記載のロッカーで採用される機能部品の係止構造は、機能部品（鏡）の支持枠に複数の楔部を形成し、その複数の楔部を支持枠とともに回転させながら、扉側の対応する係止孔に挿入係合する構造とされている。
【０００４】
特許文献２に記載のロッカーで採用される機能部品の係止構造は、機能部品（小物入れ）を複数のねじによって扉側の所定箇所に締結固定する構造とされている。
【先行技術文献】
【特許文献】
【０００５】
【特許文献１】実開平６−７５２３１号公報
【特許文献２】特開平６−３０８２１号公報
【発明の概要】
【発明が解決しようとする課題】
【０００６】
しかし、特許文献１に記載の係止構造は、複数の楔部を対応する係止孔に挿入係合して機能部品を係止する構造であるため、ロッカーの使用時等に機能部品に人や物が触れたとき等に楔部が係止孔から外れることが懸念される。
【０００７】
また、特許文献２に記載の係止構造は、機能部品を複数のねじによって扉等の被取付部材に締結固定する構造であるため、機能部品の取り付けや取り外しにドライバー等の工具による作業が必要になり、取り付けや取り外しの作業が煩雑になる。
【０００８】
そこで本発明は、被取付部材に対して簡単に脱着することができ、しかも、被取付部材に係止した後には不意の外力によって脱落しにくい係止構造体、及び、その係止構造体を用いるロッカーを提供しようとするものである。
【課題を解決するための手段】
【０００９】
本発明に係る係止構造体は、上記課題を解決するために、以下の構成を採用した。
即ち、本発明に係る係止構造体は、被取付部材に脱着可能に取り付けられる係止構造体であって、前記被取付部材の取付面に対向する対向面を有するベース部と、前記ベース部から突出して前記被取付部材の第１係止孔に挿入される係止突起と、前記ベース部の前記係止突起と離間した位置から突出して、前記被取付部材の第２係止孔に挿入されるクリップ部と、を備え、前記クリップ部は、前記ベース部から前記対向面よりも前記被取付部材の側に突出し、前記第２係止孔に挿通されて前記取付面の背部まで延びる基部片と、前記基部片の突出方向の先端側から屈曲し、前記第２挿通孔を貫通して前記取付面の前側に延びる撓み片と、を有し、前記撓み片には、当該撓み片の弾性によって前記第２係止孔の縁部に係止されるクリップ係止部が設けられていることを特徴とする。
【００１０】
上記の構成により、係止構造体は、係止突起が被取付部材の第１係止孔に挿入されて係止されるとともに、クリップ部が被取付部材の第２係止孔に挿入される。このとき、第２係止孔に挿入されたクリップ部は、撓み片の弾性によってクリップ係止部が第２係止孔の縁部に係止される。クリップ係止部が第２係止孔の縁部に係止されると、撓み片の弾性がクリップ係止部と第２係止孔の縁部の係止を維持するように作用し続けるため、被取付部材に対する係止構造体の係止状態が維持される。被取付部材から係止構造体を取り外す場合には、被取付部材の取付面から突出した係止構造体の撓み片を弾性力に抗して操作することにより、第２係止孔の縁部に対するクリップ係止部の係止を解除する。この後、第１係止孔から係止突起を引き抜き、係止構造体を被取付部材から離間させる。
【００１１】
前記基部片と前記撓み片の接続部の外面は、外側に凸の曲面形状に形成されるようにしても良い。
この場合、基部片と撓み片の接続部の外面が外側に凸の曲面形状であるため、係止構造体を被取付部材に取り付けるときに、接続部の外面の曲面形状によってクリップ部を第２係止孔に容易に挿入することができる。
【００１２】
前記係止突起は、前記ベース部から前記対向面よりも前記被取付部材の側に突出し、前記第１係止孔に挿通されて前記取付面の背部まで延びる突出部と、前記突出部の先端側から当該突出部の突出方向と交差する方向に延びる爪部と、を有し、前記係止突起の前記爪部と前記撓み片の前記クリップ係止部とは、相互に相反する方向に向いて形成されるようにしても良い。
この場合、係止突起の爪部が撓み片のクリップ係止部と相反する方向に突出しているため、係止突起の爪部が第１係止孔の縁部に抜け規制され易くなる。
【００１３】
前記ベース部から前記被取付部材の側に突出し、前記クリップ係止部が前記第２係止孔の縁部に係止された状態で、前記被取付部材に当接して前記第２係止孔の縁部から前記撓み片に作用する撓み方向の荷重を分散支持する荷重分担部をさらに備えるようにしても良い。
この場合、係止構造体が被取付部材に取り付けられた状態で、クリップ部の撓み片に過剰な力が作用するのを荷重分担部によって防止することができる。これにより、自重や外力によって撓み片が過剰に撓むのを規制することができる。
【００１４】
前記荷重分担部は、前記クリップ部とともに前記第２係止孔に挿入されるリブによって構成され、前記リブは、前記クリップ係止部が前記第２係止孔の縁部に係止された状態で、前記第２係止孔の内面に当接するようにしても良い。
この場合、荷重分担部であるリブがクリップ部とともに第２係止孔に挿入されて、第２係止孔の内面に当接する構造とされているため、被取付部材側にリブを挿入するための専用の孔を設ける必要がない。このため、被取付部材の製造の容易化を図ることができる。
【００１５】
本発明に係るロッカーは、開閉可能な扉を有し、前記扉の板状の内壁が前記被取付部材とされ、前記内壁に脱着可能に取り付けられる機能部品が前記いずれかの係止構造体を有していることを特徴とする。
【発明の効果】
【００１６】
本発明によれば、係止突起を被取付部材の第１係止孔に挿入して係止し、その状態でクリップ部を被取付部材の第２係止孔に挿入して、クリップ係止部を撓み片の弾性によって被取付部材の第２係止孔の縁部に係止させることで、係止構造体全体を被取付部材に係止させることができる。また、係止構造体を被取付部材から取り外すときには、クリップ部の撓み片を弾性に抗して操作することで、第２係止孔の縁部に対するクリップ係止部の係止を解除することができる。したがって、本発明を採用した場合には、被取付部材に対して係止構造体を簡単に脱着することができる。
また、本発明によれば、係止構造体を一度被取付部材に取り付けた後には、撓み片を操作しなければ第２係止孔の縁部に対するクリップ係止部の係止が解除されないため、不意な外力による係止構造体の脱落を防止することができる。
【図面の簡単な説明】
【００１７】
【図１】本発明の実施形態のロッカーの斜視図である。
【図２】本発明の第１実施形態の係止構造体の斜視図である。
【図３】本発明の第１実施形態の係止構造体を別の角度から見た斜視図である。
【図４】本発明の第１実施形態の係止構造体の正面図である。
【図５】本発明の第１実施形態の係止構造体の図４のＶ−Ｖ断面に対応する断面図である。
【図６】被取付部材に対する取り付けを説明するための本発明の第１実施形態の係止構造体の図５と同様の縦断面図である。
【図７】本発明の第２実施形態の係止構造体の正面図である。
【図８】本発明の第２実施形態の係止構造体の図７のＶＩＩＩ−ＶＩＩＩ断面に対応する断面図である。
【図９】本発明の第３実施形態の被取付部材の正面図である。
【図１０】本発明の第３実施形態の係止構造体の背面図である。
【図１１】本発明の第３実施形態の係止構造体の図１０のＸＩ−ＸＩ断面に対応する断面図である。
【図１２】本発明の第３実施形態の係止構造体の図１０のＸＩＩ−ＸＩＩ断面に対応する断面図である。
【発明を実施するための形態】
【００１８】
以下、本発明の実施形態を図面に基づいて説明する。
図１は、物品を収納するロッカー１を示す図である。
ロッカー１は、前面に開口２を有するロッカー本体部３と、ロッカー本体部３の一側に取り付けられた扉４と、を備えている。扉４は、ロッカー本体部３の前面側の一側に横開き回動可能に取り付けられ、ロッカー本体部３の開口２を開閉し得るようになっている。扉４は、金属板からなる内壁５を有している。内壁５には、機能部品である小物入れ１０と鏡３０が脱着可能に取り付けられている。小物入れ１０は、第１実施形態の係止構造体を構成し、鏡３０は、第２実施形態の係止構造体を構成している。また、ロッカー１の扉４の内壁５は、係止構造体が脱着可能に取り付けられる被取付部材を構成している。
なお、以下においては、説明の便宜上、扉４の内壁５のうちの小物入れ１０や鏡３０の取り付けられる側を「前」と称し、それと逆側を「後」と称する。小物入れ１０や鏡３０については、扉４の内壁５に取り付けられる側を「後」と称し、それと逆側を「前」と称する。また、小物入れ１０や鏡３０についての「上」「下」は、これらが扉４の内壁５に取り付けられた状態で鉛直上方と鉛直下方を向く向きを意味する。図面の適所には、上方を指す矢印ＵＰと、前方を指す矢印ＦＲと、左側方を指す矢印ＬＨが適宜記されている。
【００１９】
図２は、小物入れ１０を前部斜め上方側から見た図である。図３は、小物入れ１０を前部斜め下方側から見た図である。また、図４は、小物入れ１０を前方から見た図であり、図５は、ロッカー１の扉４の内壁５に取り付けられた小物入れ１０を縦断面にして示した図である。
小物入れ１０は、ロッカー１の扉４に取り付けられたときに扉４の内壁５と対向する後壁１１と、後壁１１の前部に連設されて後壁１１とともに内部空間を形成する前側周壁１２と、後壁１１と前側周壁１２の底部を閉塞する底壁１３と、を有している。小物入れ１０は、上方側が開口し、その開口部１４を通して内部に物品が収納されるようになっている。本実施形態においては、後壁１１がベース部を構成し、後壁１１の後面１１ａがロッカー１の扉４の取付面に対向する対向面を構成している。小物入れ１０の底壁１３は、後壁１１と前側周壁１２の下端から上方に所定高さ離間した位置に配置されている。
【００２０】
小物入れ１０の後壁１１は、正面視が横長の長方形状に形成されており、その上辺の左右に離間した位置には一対の係止突起１５が形成されている。各係止突起１５は、小物入れ１０の後壁１１から後面１１ａ（対向面）よりも後方側に若干突出する突出部１５ａと、突出部１５ａの先端側から上方に（突出部１５ａの突出方向と交差する方向に）延びる爪部１５ｂと、を有している。突出部１５ａと爪部１５ｂとは、後壁１１の上辺部に連設された板状片によって構成されている。係止突起１５は、図５に示すように、ロッカー１の扉４の内壁５に形成された第１係止孔１６に挿入される。第１係止孔１６は、略水平方向に長い長孔状に形成されている。
【００２１】
また、後壁１１の下辺の左右に離間した位置には、一対のクリップ部１７が一体に形成されている。各クリップ部１７は、ロッカー１の扉４の内壁５に形成された第２係止孔１８に挿入される。第２係止孔１８は、扉４の内壁５のうちの、第１係止孔１６の下方側に所定距離離間した位置に形成されている。第２係止孔１８は、第１係止孔１６と同様に略水平方向に長い長孔状に形成されている。
【００２２】
クリップ部１７は、小物入れ１０の後壁１１の後面１１ａよりも後方側（扉４の内壁５の側）に突出する基部片１７ａと、基部片１７ａの突出方向の先端部から下方側に屈曲した後に前方側に（扉４の内壁５から離間する方向に）延びる撓み片１７ｂと、を有している。撓み片１７ｂは、後壁１１の後面１１ａよりも前方側に延びている。撓み片１７ｂのうちの、後壁１１の後面１１ａの下方側の略延長位置には、第２係止孔１８の縁部に係止されるクリップ係止部である凸部１９が形成されている。凸部１９は、撓み片１７ｂの下面から下方に向かって突出している。凸部１９は、撓み片１７ｂの後方側から前方側に向かって下方にテーパ状に隆起し、その前端面１９ａが撓み片１７ｂの前縁部の下面と略直角となるように平坦に形成されている。撓み片１７ｂは、クリップ部１７が第２係止孔１８に挿入されたときに、凸部１９が第２係止孔１８を潜り抜けて内壁５の後面側に位置し、凸部１９の前端面１９ａが、内壁５の後面側において、第２係止孔１８の下方側の縁部に当接する。凸部１９は、撓み片１７ｂの弾性によって第２係止孔１８の縁部に係止される。この結果、撓み片１７ｂは、第２係止孔１８の縁部に係止されて抜け止めされる。
【００２３】
撓み片１７ｂの凸部１９は、上方に向かって延びる係止突起１５の爪部１５ｂとは相反方向を向いている。また、クリップ部１７の基部片１７ａと撓み片１７ｂとは滑らかに湾曲して接続されている。基部片１７ａと撓み片１７ｂの接続部の外面は、図３，図４に示すように、後方側に向かって凸の曲面形状に形成されている。
【００２４】
また、小物入れ１０の後壁１１の下端のうちの、各クリップ部１７の左右両側には、後壁１１の下端から下方に突出する一対のリブ２０が突設されている。リブ２０は、後壁１１の左右方向に一定幅の厚み持ち、かつ後壁１１の下端から下方への突出高さが一定である板状に形成されている。リブ２０は、後壁１１を前後に跨ぐにように前後方向に延びている。また、図３に示すように、各リブ２０の一部は後壁１１の前面に沿って上方に延び、後壁１１の前面に一体に接合されている。各クリップ部１７の左右両側に配置されている一対のリブ２０は、クリップ部１７の撓み片１７ｂとともに、ロッカー１の扉４の第２係止孔１８に挿入される。そして、一対のリブ２０は、クリップ部１７の凸部１９が第２係止孔１８の縁部に係止されるときに、平坦な下面が第２係止孔１８の内面（第２係止孔１８の長孔状の下辺の上方側を向く面）に当接する。これにより、第２係止孔１８を通してクリップ部１７の撓み片１７ｂに作用する撓み方向の荷重の一部が一対のリブ２０によって分散支持される。本実施形態においては、リブ２０が荷重分担部を構成している。
なお、リブ２０の下面は、撓み片１７ｂの凸部１９よりも下方に突出しないように形成されている。
【００２５】
図６は、小物入れ１０をロッカー１の扉４の内壁５に取り付けるときの小物入れ１０の挙動を縦断面にして示した図である。
小物入れ１０をロッカー１の扉４に取り付ける場合には、図６に示すように、後壁１１の下端が内壁５から離間するように小物入れ１０を傾斜させ、その状態で後壁１１の上端の左右の係止突起１５を内壁５の対応する第１係止孔１６に前面側（取付面側）から挿入する。このとき、第１係止孔１６には、係止突起１５の爪部１５ｂを挿入し、その後に小物入れ１０全体の姿勢を起立姿勢に変化させつつ、小物入れ１０の後壁１１の下端を内壁５に接近させる。
【００２６】
これにより、図５に示すように、係止突起１５の突出部１５ａが第１係止孔１６に挿入され、後壁１１の下端に突設された左右のクリップ部１７が対応する第２係止孔１８に対して先端部側から挿入されるようになる。このとき、クリップ部１７の先端部は後方側に凸に湾曲しているため、クリップ部１７の先端部はスムーズに第２係止孔１８内に挿入される。クリップ部１７は、第２係止孔１８に挿入されると、撓み片１７ｂが上方側に撓み変形し、撓み片１７ｂの凸部１９が第２係止孔１８内に押し入れられる。凸部１９は、第２係止孔１８を乗り越えると、撓み片１７ｂの弾性によって形状復帰して、凸部１９の前端面１９ａが第２係止孔１８の後面側の下側の縁部に当接する。この結果、小物入れ１０の下端部は、撓み片１７ｂの凸部１９によって抜け止めされる。また、このときクリップ部１７の左右のリブ２０は、その下面が第２係止孔１８の内面に当接する。
【００２７】
また、ロッカー１の扉４に取り付けられた小物入れ１０を、扉４の内壁５から取り外す場合には、内壁５の第２係止孔１８から突出した撓み片１７ｂの前端部を撓み片１７ｂの弾性に抗して指等で上方に押し上げ、その状態で小物入れ１０の下部側を手前に引っ張る。これにより、撓み片１７ｂに設けられた凸部１９が第２係止孔１８から外部に抜け、そのまま小物入れ１０を手前に引っ張ることにより、クリップ部１７とその左右のリブ２０が第２係止孔１８から抜ける。このとき、小物入れ１０は、図６に示すように、下端が扉４の内壁５から離間するように傾斜姿勢となる。この後、小物入れ１０を手前側斜め下方に引っ張ることにより、後壁１１の上端の係止突起１５が対応する第１係止孔１６から引き抜かれる。
【００２８】
このように小物入れ１０の上辺に係止突起１５が形成され、下辺にクリップ部１７が形成されている場合、小物入れ１０を取り付ける際や取り外し際に、必ず小物入れ１０を下方から支えることになる。そのため、小物入れ１０の内部に物品が収納された状態であっても、収納された物品を小物入れ１０から落下させることなく、小物入れ１０を取り付け、或いは、取り外すことが可能になる。
【００２９】
図７は、鏡３０を前方から見た図であり、図８は、ロッカー１の扉４の内壁５に取り付けられた鏡３０を縦断面にして示した図である。
鏡３０は、正面視が略長方形状の枠体３１と、枠体３１の開口部の内側に取付けられる鏡体３２と、を有している。なお、図８において、鏡体３２は図示を省略されている。本実施形態においては、枠体３１がベース部を構成し、枠体３１の後面３１ａがロッカー１の扉４の取付面に対向する対向面を構成している。なお、図中の符号３３は、枠体３１の開口部に臨む内縁部に突設されて、鏡体３２を支持する支持片である。
【００３０】
枠体３１の下辺の左右に離間した位置には、一対の係止突起１１５が形成されている。各係止突起１１５は、枠体３１の後面３１ａよりも後方側に若干突出する突出部１１５ａと、突出部１１５ａの先端側から下方に（突出部１１５ａの突出方向と交差する方向に）延びる爪部１１５ｂと、を有している。係止突起１１５は、図８に示すように、ロッカー１の扉４の内壁５に形成された第１係止孔１１６に挿入される。第１係止孔１１６は、略水平方向に長い長孔状に形成されている。
【００３１】
一方、枠体３１の上辺の左右に離間した位置には、一対のクリップ部１１７が一体に形成されている。各クリップ部１１７は、ロッカー１の扉４の内壁５に形成された第２係止孔１１８に挿入される。第２係止孔１１８は、扉４の内壁５のうちの、第１係止孔１１６の上方側に所定距離離間した位置に形成されている。第２係止孔１１８は、第１係止孔１１６と同様に略水平方向に長い長孔状に形成されている。
【００３２】
クリップ部１１７は、鏡３０の枠体３１の後面３１ａよりも後方側（扉４の内壁５の側）に突出する基部片１１７ａと、基部片１１７ａの突出方向の先端部から上方側に屈曲した後に前方側に（扉４の内壁５から離間する方向に）延びる撓み片１１７ｂと、を有している。撓み片１１７ｂは、枠体３１の後面３１ａよりも前方側に延び、その上面に凸部１１９が形成されている。
【００３３】
凸部１１９は、撓み片１１７ｂの上面から上方に隆起し、その前端面が略平坦に形成され、かつ垂立している。撓み片１１７ｂのうちの凸部１１９よりも前方側部位には、上方に隆起する第２凸部３５が形成されている。撓み片１１７ｂの上面の凸部１１９と第２凸部３５の間には係合溝３６が形成されている。本実施形態においては、凸部１１９と第２凸部３５によって形成される係合溝３６がクリップ係止部を構成している。係合溝３６は、枠体３１の後面３１ａの略延長位置に形成されている。撓み片１１７ｂは、クリップ部１１７が第２係止孔１１８に挿入されたときに、凸部１１９が第２係止孔１１８を潜り抜け、係合溝３６が第２係止孔１１８の縁部に係合する。このとき、係合溝３６は、撓み片１１７ｂの弾性によって第２係止孔１１８の縁部に係止される。
【００３４】
撓み片１１７ｂの係合溝３６は、下方に向かって延びる係止突起１１５の爪部１１５ｂと相反方向を向いて設けられている。本実施形態の場合も、クリップ部１１７の基部片１１７ａと撓み片１１７ｂとは滑らかに湾曲して接続されており、基部片１１７ａと撓み片１１７ｂの接続部の外面は後方側に向かって凸の曲面形状に形成されている。
【００３５】
鏡３０を、ロッカー１の扉４に取り付ける場合には、枠体３１の上端が内壁５から離間するように鏡３０を傾斜させ、その状態で枠体３１の下端の左右の係止突起１１５を内壁５の対応する第１係止孔１１６に前面側から挿入する。このとき、第１係止孔１１６には、係止突起１１５の爪部１１５ｂを挿入し、その後に鏡３０を起立姿勢にして枠体３１の下端を内壁５に接近させる。
【００３６】
これにより、係止突起１１５の突出部１１５ａが第１係止孔１１６に挿入され、枠体３１の上端の左右のクリップ部１１７が対応する第２係止孔１１８に挿入される。クリップ部１１７は、第２係止孔１１８に挿入されると、撓み片１１７ｂが下方に撓み、凸部１１９が第２係止孔１１８を潜り抜けた時点で、撓み片１１７ｂ上の係合溝３６が第２係止孔１１８の縁部に係止される。この結果、鏡３０の上端端は、第２係止孔１１８に抜け止めされる。
【００３７】
ロッカー１の扉４から鏡３０を取り外す場合には、内壁５から突出した撓み片１１７ｂの前端部を撓み片１１７ｂの弾性に抗して指等で下方に押し下げ、その状態で鏡３０の上部側を手前に引っ張る。これにより、撓み片１１７ｂの係合溝３６が第２係止孔１１８の縁部から外れ、枠体３１の上部が内壁５から離間するように鏡３０が傾斜する。その後、鏡３０を手前側斜め上方に引き上げることにより、枠体３１の下端の係止突起１１５が対応する第１係止孔１１６から引き抜かれる。
【００３８】
以上のように、実施形態に係る小物入れ１０と鏡３０は、係止突起１５，１１５を内壁５の第１係止孔１６，１１６に挿入した状態で、クリップ部１７，１１７を内壁５の第２係止孔１８，１１８に挿入して、クリップ係止部（凸部１９，係合溝３６）を撓み片１７ｂ，１１７ｂの弾性によって内壁５の第２係止孔１８，１１８の縁部に係止させることで内壁５に係止させることができる。また、実施形態に係る小物入れ１０と鏡３０は、クリップ部１７，１１７の撓み片１７ｂ，１１７ｂの端部を弾性に抗して操作することで、第２係止孔１８，１１８の縁部に対するクリップ係止部（凸部１９，係合溝３６）の係止を解除することができる。したがって、実施形態に係る小物入れ１０や鏡３０は、ドライバー等による煩雑な操作を要することなく、被取付部材であるロッカー１の内壁５に対して簡単に脱着することができる。
【００３９】
さらに、実施形態に係る小物入れ１０と鏡３０は、これらを一度ロッカー１の内壁５に取り付けた後には、撓み片１７ｂ，１１７ｂを操作しなければ第２係止孔１８，１１８の縁部に対するクリップ係止部（凸部１９，係合溝３６）の係止が解除されない。このため、外部からの不意な外力の付加によって小物入れ１０や鏡３０が内壁５から脱落するのを防止することができる。
【００４０】
また、実施形態に係る小物入れ１０と鏡３０は、クリップ部１７，１１７の基部片１７ａ，１１７ａと撓み片１７ｂ，１１７ｂの接続部の外面が、外側に凸の曲面形状に形成されている。このため、小物入れ１０や鏡３０をロッカー１の内壁５に取り付けるときに、接続部の外面の曲面形状によってクリップ部１７，１１７を第２係止孔１８，１１８に容易に挿入することができる。
【００４１】
また、実施形態に係る小物入れ１０は、係止突起１５の爪部１５ｂが撓み片１７ｂの凸部１９と相反する方向に突出しているため、係止突起１５の爪部１５ｂが第１係止孔１６の縁部に抜け規制され易くなる。したがって、小物入れ１０の脱落を有利に防止することができる。
同様に、実施形態に係る鏡３０は、係止突起１１５の爪部１１５ｂが撓み片１１７ｂの係合溝３６と相反する方向に突出しているため、係止突起１１５の爪部１１５ｂが第１係止孔１１６の縁部に抜け規制され易くなる。したがって、鏡３０の脱落を有利に防止することができる。
【００４２】
また、第１実施形態である小物入れ１０は、後壁１１に荷重分担部であるリブ２０が突設され、撓み片１７ｂの凸部１９が第２係止孔１８の縁部に係止された状態で、第２係止孔１８の縁部から撓み片１７ｂに作用する撓み方向の荷重をリブ２０が分散支持する構造とされている。このため、小物入れ１０がロッカー１の内壁５に取り付けられた状態で、クリップ部１７の撓み片１７ｂに過剰な力が作用するのを防止することができる。したがって、ロッカー１の内壁５に取り付けられた小物入れ１０に自重や外力が作用したときに、撓み片１７ｂが過剰に撓むのを規制することができる。
【００４３】
特に、本実施形態の小物入れ１０は、荷重分担部であるリブ２０がクリップ部１７とともにロッカー１の内壁５の第２係止孔１８に挿入され、リブ２０が第２係止孔１８の内面に当接する構造とされている。このため、ロッカー１の内壁５にリブ２０を挿入するための専用の孔を設ける必要がなく、その分、ロッカー１の内壁５の製造（加工）を容易化することができる。
【００４４】
つづいて、図９〜図１２に示す第３実施形態について説明する。
本実施形態は、第１実施形態の小物入れ１０とほぼ同様の機能をもつ小物入れ１０Ａであるが、ロッカーの扉４の内壁５に形成される第１係止孔１６Ａの形状と、小物入れ１０Ａの後壁１１に突設される係止突起１５Ａの形状が第１実施形態のものと異なっている。なお、第１実施形態と同一部分には同一符号を付して重複する説明を省略する。
【００４５】
図９は、ロッカーの扉４の内壁５を正面から見た図であり、図１０は、小物入れ１０Ａを後面（背面）から見た図である。図１１は、小物入れ１０Ａを扉４の内壁５に取り付けた状態での図１０のＸＩ−ＸＩ断面に対応する断面図であり、図１２は、小物入れ１０Ａを扉４の内壁５に取り付けた状態での図１０のＸＩＩ−ＸＩＩ断面に対応する断面図である。
第１係止孔１６Ａは、ロッカーの内壁５のうちの、左右の第２係止孔１８の中間位置の上方側領域に形成されている。第１係止孔１６Ａは、左右方向の開口幅の広い拡幅部５０と、拡幅部５０の左右方向の中央から上方に延びる狭幅部５１と、を有している。
これに対し、係止突起１５Ａは、小物入れ１０Ａの後壁１１の上部寄り位置から後方に向かって突出する断面方形状の突出部１５Ａａと、突出部１５Ａａの突出方向の端部から左右方向に突出する一対の爪部１５Ａｂ，１５Ａｂと、を有している。
【００４６】
第１係止孔１６Ａの拡幅部５０は、係止突起１５Ａの突出部１５Ａａと左右の爪部１５Ａｂ，１５Ａｂを同時に挿入可能な幅に形成されている。第１係止孔１６Ａの狭幅部５１は、係止突起１５Ａの突出部１５Ａａのみが挿入可能な幅に形成されている。
【００４７】
本実施形態の小物入れ１０Ａをロッカーの内壁５に取り付ける場合には、最初に小物入れ１０Ａの係止突起１５Ａの突出部１５Ａａと左右の爪部１５Ａｂ，１５Ａｂを、第１係止孔１６Ａの拡幅部５０に挿入する。次に、この状態から小物入れ１０Ａを上方に持ち上げ、係止突起１５Ａの突出部１５Ａａを第１係止孔１６Ａの狭幅部５１に挿入した状態で狭幅部５１内をスライド移動させる。こうして、突出部１５Ａａが狭幅部５１内を所定量移動すると、左右の爪部１５Ａｂ，１５ｂが後壁１１の後面側で拡幅部５０の左右の側縁部に当接し、それによって後壁１１の上部側から抜け止めされる。この後、後壁１１の下部側のクリップ部１７は、第１実施形態の小物入れと同様にして対応する第２係止孔１８に係止される。
【００４８】
小物入れ１０Ａをロッカーの内壁５から取り外すときには、後壁１１の下部側のクリップ部１７を第２係止孔１８から外した後に、小物入れ１０Ａを下方に移動させることにより、第１係止孔１６Ａの拡幅部５０から係止突起１５Ａを引き外す。
本実施形態は、第１実施形態とは係止突起１５Ａと第１係止孔１６Ａの形状が異なっているが、その他の構成は同様となっている。このため、第１実施形態とほぼ同様の効果を得ることができる。
【００４９】
なお、本発明は上記の実施形態に限定されるものではなく、その要旨を逸脱しない範囲で種々の設計変更が可能である。
例えば、被取付部材はロッカー１の扉４の内壁５である必要はなく、扉４の補強部材であっても良い。また、小物入れ１０，１０Ａの底壁１３は、後壁１１と前側周壁１２の下端から上方に離間せずに下端位置に配置されていても良い。また、係止突起１５，１１５の位置とクリップ部１７，１１７の位置は左右に離間していなくても良く、それぞれが３個以上であっても良い。さらにまた、小物入れ１０，１０Ａのリブ２０は、後壁１１の前面に接合されていなくても良い。
【符号の説明】
【００５０】
１  ロッカー
４  扉
５  内壁（被取付部材）
１０，１０Ａ  小物入れ（係止構造体）
１１  後壁（ベース壁）
１１ａ  後面（対向面）
１５，１１５，１５Ａ  係止突起
１５ａ，１１５ａ  突出部
１５ｂ，１１５ｂ  爪部
１６，１１６，１６Ａ  第１係止孔
１７，１１７  クリップ部
１７ａ，１１７ａ  基部片
１７ｂ，１１７ｂ  撓み片
１８，１１８  第２係止孔
１９  凸部
２０  リブ（荷重分担部）
３０  鏡（係止構造体）
３１  枠体（ベース部）
３１ａ  後面（対向面）
【図１】
2019086049.tif 000003
【図２】
2019086049.tif 000004
【図３】
2019086049.tif 000005
【図４】
2019086049.tif 000006
【図５】
2019086049.tif 000007
【図６】
2019086049.tif 000008
【図７】
2019086049.tif 000009
【図８】
2019086049.tif 000010
【図９】
2019086049.tif 000011
【図１０】
2019086049.tif 000012
【図１１】
2019086049.tif 000013
【図１２】
2019086049.tif 000014